(57)【要約】【課題】      バック本体の上端の周縁部に吊り下げ具が当たって擦れても周縁部が損傷しにくいバックの吊り下げ具を提供することである。【解決手段】  吊り下げ具４は合成樹脂や皮革で両端の取付部４ａ、４ａと中間の握り部４ｂと握り部４ｂと取付部４ａ、４ａを結ぶ吊り下げ部４ｃ、４ｃで形成されて取付部４ａ、４ａは吊り下げ部４ｃ、４ｃより幅広く形成されると共に、取付部４ａの下側はチャック１１の下方に取り付けられ、上部はバック本体１の上部で蓋体３の上端の周縁部３ｂより上側になるように長く形成されている。  取付部４ａ、４ａの内側には起毛した生地５と生地５の裏側に多孔性材６が取り付けられ、多孔性材６はゴムや合成樹脂の独立気泡体や連続気泡体などの発泡材が使用されている。【選択図】        図４
2009159865.tif 000002
【特許請求の範囲】
【請求項１】
バック本体に取り付けたバックの吊り下げ具のバック本体の上端の周縁部に当たる部位に起毛した生地を設けたことを特徴とするバックの吊り下げ具。
【請求項２】
吊り下げ具のバック本体の上端の周縁部に当たる部位を幅広にしたことを特徴とする請求項１記載のバックの吊り下げ具。
【請求項３】
前記起毛した生地の裏側に多孔性材を取り付けたことを特徴とする請求項１又は２記載のバックの吊り下げ具。
【発明の詳細な説明】
【技術分野】
【０００１】
本発明は、バックの吊り下げ具に関する。
【背景技術】
【０００２】
従来特許文献１のように、保冷バックや魚釣り用バックを釣場に携行するにはバック本体の側部に吊り下げ具を取り付けて手で握って携行したり、吊り下げ具をショルダ−ベルトにして肩からぶら下げるようにして携行していた。
上記のようにバック本体を吊り下げ具で吊り下げて携行すると、バック本体の上端の周縁部に吊り下げ具が当たって擦れて損傷することになり、美観を損ねることになった。
【特許文献１】特開２００１−１３６８８７号公報
【発明の開示】
【発明が解決しようとする課題】
【０００３】
解決しようとする問題点は、バック本体の上端の周縁部に吊り下げ具が当たって擦れて損傷することになり、美観を損ねることである。
【０００４】
本発明の目的は前記欠点に鑑み、バック本体の上端の周縁部に吊り下げ具が当たって擦れても周縁部が損傷しにくいバックの吊り下げ具を提供することである。
【課題を解決するための手段】
【０００５】
本発明の請求項１は、バック本体に取り付けたバックの吊り下げ具のバック本体の上端の周縁部に当たる部位に起毛した生地を設けたことを要旨とするものである。
本発明の請求項２は、吊り下げ具のバック本体の上端の周縁部に当たる部位を幅広にしたことを要旨とするものである。
本発明の請求項３は、前記起毛した生地の裏側に多孔性材を取り付けたことを要旨とするものである。
【発明の効果】
【０００６】
本発明により、バック本体の上部で蓋体の上端の周縁部の部位に吊り下げ具の取付部の起毛した生地と多孔性材が当たるから周縁部が損傷されることがない。
また起毛した繊維はバック本体に対しル−プ状に湾曲した状態で接するため滑りがよくバック本体の損傷が防止される。
【発明を実施するための最良の形態】
【０００７】
バック本体１の開口部１ｃは蓋体３で覆われ、バック本体１と蓋体３はヒンジ部２で開閉自在に取り付けられ、端部１ｄと蓋体３のスカ−ト部３ａがチャック１１で開閉可能に閉じられるようになっている。
バック本体１の側部１ａの長い面には手で握る一対の吊り下げ具４、４の両端の取付部４ａ、４ａが夫々取り付けられている。
吊り下げ具４は合成樹脂や皮革で両端の取付部４ａ、４ａと中間の握り部４ｂと握り部４ｂと取付部４ａ、４ａを結ぶ吊り下げ部４ｃ、４ｃで形成されている。
取付部４ａ、４ａは吊り下げ部４ｃ、４ｃより幅広く形成されると共に、取付部４ａの下側はチャック１１の下方に取り付けられ、上部はバック本体１の上部で蓋体３の上端の周縁部３ｂより上側になるように長く形成されている。
取付部４ａ、４ａの内側には起毛した生地５と生地５の裏側に多孔性材６が取り付けられている。
多孔性材６はゴムや合成樹脂の独立気泡体や連続気泡体などの発泡材が使用されている。
【実施例１】
【０００８】
以下、図示の実施例によって本発明を説明すると、図１から図４は第１実施例で、図１は両側の吊り下げ具が持ち上げられた携行状態のバックの斜視図、図２は手前側の吊り下げ具が下げられたバックの斜視図、図３は両側の吊り下げ具が持ち上げられた携行状態のバックの断面側面図、図４は図３の一側部の拡大断面側面図と一部拡大断面側面図である。
【０００９】
吊り下げ具が取り付けられるバック本体１は柔軟性を有する合成樹脂シ−トで形成された側部１ａと底部１ｂが一体的に高周波加熱処理の溶着接合されて略直方体状のバック体に形成されたり、金型で略直方体状のバック体に一体に形成されて、上方に開口部１ｃを有している。
合成樹脂材料は、ＥＶＡ（エチレン酢酸ビニ−ル）、ＰＶＣ（ポリ塩化ビニ−ル）、ＰＥ（ポリエチレン）等防水性を有する材料が使用されている。
バック本体１の開口部１ｃはフレ−ム１０を巻き込んで内側から外側に折り返されてバック本体１の開口部１ｃ近傍の外側のＡ部で溶着されると共に開口縁側の端部１ｄが外側に突出されている。
バック本体１の開口部１ｃは蓋体３で覆われ、バック本体１と蓋体３はヒンジ部２で開閉自在に取り付けられ、端部１ｄと蓋体３のスカ−ト部３ａがチャック１１で開閉可能に閉じられるようになっている。
バック本体１の側部１ａの長い面には手で握る一対の吊り下げ具４、４の両端の取付部４ａ、４ａが夫々取り付けられている。
【００１０】
吊り下げ具４は合成樹脂や皮革で両端の取付部４ａ、４ａと中間の握り部４ｂと握り部４ｂと取付部４ａ、４ａを結ぶ吊り下げ部４ｃ、４ｃで形成されている。
取付部４ａ、４ａは吊り下げ部４ｃ、４ｃより幅広く形成されると共に、取付部４ａの下側はチャック１１の下方に取り付けられ、上部はバック本体１の上部で蓋体３の上端の周縁部３ｂより上側になるように長く形成されている。
取付部４ａ、４ａの内側には起毛した生地５と生地５の裏側に多孔性材６が取り付けられている。
多孔性材６はゴムや合成樹脂の独立気泡体や連続気泡体などの発泡材が使用されている。
【００１１】
吊り下げ具４の取付部４ａが幅広く形成されると共に、内側には起毛した生地５と生地５の裏側に多孔性材６が取り付けられているので、吊り下げ具４の握り部４ｂを握って持ち上げられると、バック本体１の上部で蓋体３の上端の周縁部３ｂの部位に取付部４ａの起毛した生地５と多孔性材６が当たる。
起毛した生地５はバック本体１側に向かってル−プ状に形成した多数の繊維が突出しているため、バック本体１に当接するル−プ状の繊維がつぶれるように変形し、その当りを緩らげることができる。
しかもその裏側に多孔性材６を設けているため起毛した繊維がつぶれてしまうことが防止される。
【００１２】
前記のようにバックの吊り下げ具４が構成されると、吊り下げ具４の握り部４ｂを握って持ち上げられると、バック本体１の上部で蓋体３の上端の周縁部３ｂの部位に吊り下げ具４の取付部４ａの起毛した生地５と多孔性材６が当たるから周縁部３ｂが損傷されることがない。
また起毛した繊維はバック本体１に対しル−プ状に湾曲した状態で接するため滑りがよくバック本体１の損傷が防止される。
【実施例２】
【００１３】
図５、図６は第２実施例で、図５は吊り下げ具がショルダ−ベルトと取付部の組合せで形成されたバックの斜視図、図６は吊り下げ具とバックの断面側面図である。
【００１４】
第２実施例ではバック本体１の側部１ａの短い面の両側のチャック１１の下方に吊り下げ具４′の取付部７、７が取り付けられ、取付部７にＤ環８が取り付けられている。
Ｄ環８にはショルダ−ベルト９の両端に取り付けられたナス環（バネ片で開口が開閉可能に閉塞された環状体）１２、１２が着脱自在に係合される。
取付部７は第１実施例と同様に幅広く形成されると共に、内側には起毛した生地５と生地５の裏側に多孔性材６が取り付けられると共に、上部はバック本体１の上部で蓋体３の上端の周縁部３ｂより上側になるように長く形成されている。
他の構成は前記第１実施例と略同一である。
【００１５】
バックの吊り下げ具を釣場に携行する時にはショルダ−ベルト９を肩に掛けて携行される。
この時バック本体１の上部で蓋体３の上端の周縁部３ｂの部位に取付部７の起毛した生地５と多孔性材６が当たる。
【００１６】
前記のようにバックの吊り下げ具４′が構成されると、バック本体１の上部で蓋体３の上端の周縁部３ｂの部位に吊り下げ具４′の取付部７の起毛した生地５と多孔性材６が当たるから周縁部３ｂが損傷されることがない。
【００１７】
前記説明の第１実施例と第２実施例を一つのバックに同時に実施してもよい。
【産業上の利用可能性】
【００１８】
前記説明では、バックの吊り下げ具全般に利用できる。
【図面の簡単な説明】
【００１９】
【図１】第１実施例で、両側の吊り下げ具が持ち上げられた携行状態のバックの斜視図である。
【図２】同手前側の吊り下げ具が下げられたバックの斜視図である。
【図３】同両側の吊り下げ具が持ち上げられた携行状態のバックの断面側面図である。
【図４】同図３の一側部の拡大断面側面図と一部拡大断面側面図である。
【図５】第２実施例で、吊り下げ具がショルダ−ベルトと取付部の組合せで形成されたバックの斜視図である。
【図６】同吊り下げ具とバックの断面側面図である。
【符号の説明】
【００２０】
１  バック本体
４、４′  吊り下げ具
４ａ、７  取付部
５  起毛した生地
６  多孔性材
【図１】
2009159865.tif 000003
【図２】
2009159865.tif 000004
【図３】
2009159865.tif 000005
【図４】
2009159865.tif 000006
【図５】
2009159865.tif 000007
【図６】
2009159865.tif 000008